(57)【特許請求の範囲】
【請求項１】
前方側に向けて開口する開口部を有するショーケース本体と、水平方向にスライド移動されることで前記開口部を開閉可能であり、その上下端位置が前後方向にずれている引戸と、を備えるショーケースであって、
前記引戸の上端部は、前記開口部の上端縁に設けられる上側レールに支持されるとともに、前記引戸の下端部は、前記開口部の下端縁に設けられて略平坦面に形成される下側支持部に支持されており、前記引戸の前方移動を規制する規制手段が前記上側レールに設けられることを特徴とするショーケース。
【請求項２】
前記下側支持部は、物品を載置できる載置面となっていることを特徴とする請求項１に記載のショーケース。
【請求項３】
前記上側レールには、前記ショーケース本体の前方側に向けて下方に傾斜する傾斜面が形成されており、前記引戸の上端部が前記傾斜面に支持されるとともに、前記引戸の下端部が前記下側支持部に対して略垂直に当接支持されることを特徴とする請求項１または２に記載のショーケース。
【請求項４】
前記規制手段は、前記引戸の上端部に設けられる係合部と、該係合部と凹凸係合される前記上側レールに設けられる被係合部と、から構成されることを特徴とする請求項１ないし３のいずれかに記載のショーケース。
【請求項５】
前記係合部と前記被係合部とは、互いに遊嵌される寸法に形成され、前記係合部と前記被係合部との間に隙間部が形成されることを特徴とする請求項４に記載のショーケース。
【発明の詳細な説明】
【技術分野】
【０００１】
本発明は、前方側に向けて開口する開口部を有するショーケース本体と、水平方向にスライド移動されることで前記開口部を開閉可能な引戸と、を備えるショーケースに関する。
【背景技術】
【０００２】
従来のショーケースは、引き戸部材（引戸）の上端部を、ケース本体の開口部の上端縁に形成された上側レールに支持させるとともに、引き戸部材の下端部を、ケース本体の下部を構成する箱部の上縁に形成された溝部（下側支持部，規制手段）に支持させるようになっている（例えば、特許文献１参照）。
【０００３】
また、ショーケース本体の側面板の上端部に、引き戸（引戸）の一端（下端部）を支持する側面視で略Ｌ字状をなして前方端縁が上方に屈曲されたレール（下側支持部）が設けられ、かつショーケース本体の上部に、引き戸の上端部を支持するレール部材（上側レール）が設けられ、引き戸をレール部材に沿ってスライド移動させるとともに、引き戸の一端がレールの前方端縁（規制手段）に当接されることで、引き戸の前方移動を規制しているものがある（例えば、特許文献２参照）。
【先行技術文献】
【特許文献】
【０００４】
【特許文献１】特開２００９−４５０８６号公報（第６頁、第３図）
【特許文献２】特開平１０−８９８３８号公報（第３頁、第２図）
【発明の概要】
【発明が解決しようとする課題】
【０００５】
しかしながら、特許文献１に記載のショーケースにあっては、ケース本体（ショーケース本体）の下部を構成する箱部の上縁に、引き戸部材（引戸）を水平方向にスライド移動させるための溝部（下側支持部，規制手段）が形成されているため、この溝部内にゴミ等が溜まりやすいばかりか、溝部が凹凸形状に形成されているため、溝部の清掃がし難いという問題がある。
【０００６】
また、特許文献２に記載のショーケースにあっては、略Ｌ字状をなすレール（下側支持部）が、引き戸（引戸）の一端（下端部）を支持する平面部位を有しているため、レールの清掃が比較的行い易くなっているが、引き戸の前方移動を規制するためにレールの前方端縁が上方に屈曲されているため、このレールの前方端縁（規制手段）が清掃の邪魔である。さらに、レールと引き戸の一端との接触面積は、レールの平面部位と前方端縁とを合わせた面積となっており、その摺接面積が大きく、かつ引き戸の前方移動を規制するレールの前方端縁は、引き戸の開閉時に引き戸の一端と擦り合わされるため、レールにゴミ等が溜まっていると磨耗が激しく、長年の使用により摺接音が生じてしまうばかりか、引き戸をスムーズに開閉させられなくなるという問題がある。
【０００７】
本発明は、このような問題点に着目してなされたもので、ショーケース本体における引戸の下端部が摺接される下側支持部の清掃を行い易くして、下側支持部を衛生的に保つことができるとともに、規制手段の磨耗を防止できるショーケースを提供することを目的とする。
【課題を解決するための手段】
【０００８】
前記課題を解決するために、本発明のショーケースは、
前方側に向けて開口する開口部を有するショーケース本体と、水平方向にスライド移動されることで前記開口部を開閉可能であり、その上下端位置が前後方向にずれている引戸と、を備えるショーケースであって、
前記引戸の上端部は、前記開口部の上端縁に設けられる上側レールに支持されるとともに、前記引戸の下端部は、前記開口部の下端縁に設けられて略平坦面に形成される下側支持部に支持されており、前記引戸の前方移動を規制する規制手段が前記上側レールに設けられることを特徴としている。
この特徴によれば、引戸の下端部が摺接される下側支持部が略平坦面となっているため、この下側支持部の清掃が行い易くなっており、下側支持部を衛生的に保つことができるとともに、引戸の前方移動動を規制する規制手段が、ショーケース本体の開口部の上端縁の上側レールに設けられるため、ゴミ等が規制手段に付着し難くなり、ゴミの付着による規制手段の磨耗を防止でき、かつゴミが付着し易い部位である下側支持部には、規制手段を設けずに済むようになるばかりか、引戸の下端部と下側支持部との接触面積を低減させることができ、長年使用しても引戸をスムーズに開閉させることができる。
【０００９】
本発明のショーケースは、
前記下側支持部は、物品を載置できる載置面となっていることを特徴としている。
この特徴によれば、下側支持部に買い物客の手荷物や、ショーケース本体内に収納されている販売物等の物品を載置できるようになり、ショーケースの使い勝手を向上させることができる。
【００１０】
本発明のショーケースは、
前記上側レールには、前記ショーケース本体の前方側に向けて下方に傾斜する傾斜面が形成されており、前記引戸の上端部が前記傾斜面に支持されるとともに、前記引戸の下端部が前記下側支持部に対して略垂直に当接支持されることを特徴としている。
この特徴によれば、引戸の自重によって傾斜面に引戸の上端部を確実に当接させることができ、引戸のがたつきを防止することができるとともに、引戸の自重をかけながら引戸の下端部を下側支持部に当接支持させることができ、引戸の開閉を安定的に行うことができる。
【００１１】
本発明のショーケースは、
前記規制手段は、前記引戸の上端部に設けられる係合部と、該係合部と凹凸係合される前記上側レールに設けられる被係合部と、から構成されることを特徴としている。
この特徴によれば、係合部と被係合部との凹凸係合という簡素な構成で規制手段を設けることができ、かつ引戸の上側レールに対する着脱作業を容易に行うことができる。
【００１２】
本発明のショーケースは、
前記係合部と前記被係合部とは、互いに遊嵌される寸法に形成され、前記係合部と前記被係合部との間に隙間部が形成されることを特徴としている。
この特徴によれば、係合部と被係合部との間に形成される隙間部の寸法分だけ、引戸の下端部を下側支持部から離して持ち上げられるようになり、引戸をスライド移動させずに下側支持部を清掃することができる。
【図面の簡単な説明】
【００１３】
【図１】実施例におけるショーケースを示す斜視図である。
【図２】ショーケースを示す縦断側面図である。
【図３】（ａ）は、引戸の上端部を示す部分平面図であり、（ｂ）は、引戸の下端部を示す部分正面図である
【図４】（ａ）は、引戸の上端部と上側レールとを示す拡大縦断側面図であり、（ｂ）は、引戸の下端部と平坦面とを示す拡大縦断側面図である。
【図５】引戸のローラと平坦面とを離間させた状態を示す拡大縦断側面図である。
【図６】引戸の上端部を上側レールから取り外す状態を示す拡大縦断側面図である。
【図７】引戸の上端部を上側レールから取り外す状態を示す正面図である。
【発明を実施するための形態】
【００１４】
本発明に係るショーケースを実施するための形態を実施例に基づいて以下に説明する。
【実施例】
【００１５】
実施例に係るショーケースにつき、図１から図５を参照して説明する。以下、図２、図４及び図５の紙面左側をショーケースの正面側（前方側）として説明する。図１の符号１は、本発明の適用されたショーケースである。
【００１６】
このショーケース１は、スーパーマーケットやコンビニエンスストア等の店舗において、冷凍食品や生鮮食品等の販売物を店内に陳列するために使用されている。以下、ショーケース１がスーパーマーケット等の店舗において買い物客と対向する側をショーケース１の正面側として説明する。なお、図２、図４及び図５においては、ショーケース１の紙面左側に買い物客が居るものとして紙面左側を正面側として説明する。図１に示すように、ショーケース１は、販売物を内部に陳列し、対向する正面側に向けて開口するショーケース本体２と、ショーケース本体２を開閉可能な複数枚の引戸３ａ，３ｂ（各２枚）と、から構成されている。
【００１７】
図２に示すように、ショーケース本体２は、対向する正面側に向けて開口した一対の内箱４と、これら内箱４と同じく対向する正面側に開口し、両内箱４を囲繞するように設けられた外箱５と、から構成されている。このため、ショーケース本体２の両正面側には、内箱４の開口及び外箱５の開口によって、ショーケース本体２の内部である冷蔵室６と連通する開口部７が形成されている。以下、本実施例におけるショーケース本体２は、両開口部７側共に同一構成につき、図示左側についてのみ説明する。
【００１８】
外箱５は、発泡ウレタン樹脂材等からなる断熱部材と、この断熱部材の表裏面を覆うスチール金属等の表面板と、から構成されている。また、外箱５と内箱４との間には通風路８が形成され、この外箱５と内箱４によってショーケース本体２が構成されている。さらに、通風路８内には、冷却装置９と送風機１０とを備えている。正面側を開口した内箱４により囲まれた冷蔵室６には、販売物を陳列する陳列棚１１が設置され、下部に設けられた底板１２にも販売物（図示略）を陳列可能になっており、販売物を多数載置可能な構成となっている。
【００１９】
開口部７の下端縁近傍である冷蔵室６内の正面側には、通風路８に空気を取り込む吸込口１３が形成されており、冷蔵室６内の背面側上端部には、冷却装置９によって冷却された冷気の冷気吹出口１４が形成されている。この冷気吹出口１４から、送風機１０の稼動によって冷却装置９で冷却された冷気が吸込口１３に向かって吹き出されて、開口部７を冷気によって閉塞するエアカーテン１５が形成されている。
【００２０】
このエアカーテン１５の一部が冷蔵室６内に供給されることで、冷蔵室６内は一定の低温を保つことができ、冷蔵室６内の陳列棚１１や底板１２に載置される販売物（図示略）を冷蔵・冷凍した状態で陳列できるようになっている。
【００２１】
図１及び図２に示すように、開口部７の下端縁をなす外箱５の正面側の下部には、ショーケース本体２の左右幅方向の略全長に亘ってショーケース本体２の正面側に向けて突出する突出部１６が形成されている。この突出部１６の上端部は、本発明における下側支持部として、床面に対して平行な平坦面１６ａに形成されている。また、開口部７の上端縁をなす外箱５の上部の正面側端部には、後述する引戸３ａ，３ｂの上端部を支持する上側レール１７が、ショーケース本体２の左右幅方向の略全長に亘って設けられている。
【００２２】
図４（ａ）に示すように、この上側レール１７には、ショーケース本体２の正面側に向けて下方に傾斜を成す傾斜面１７ａが形成されている。上側レール１７における傾斜面１７ａの下方には、さらにショーケース本体２の正面側に向けて下方に傾斜を成す傾斜面１７ｂが形成されている。これら傾斜面１７ａ，１７ｂには、傾斜面１７ａ，１７ｂに対して垂直を成して、後述する係合部とともに本発明における規制手段を構成する被係合部としての突片１７ｃが、ショーケース本体２の左右幅方向の略全長に亘って突設されている。
【００２３】
次に、引戸３ａ，３ｂについて説明する。図２に示すように、引戸３ａ，３ｂの上端部は、ショーケース本体２の正面側に向けて下方に傾斜を成すように形成されている。引戸３ａ，３ｂの下端部は、平坦面１６ａに対して略垂直を成すように形成されている。また、引戸３ａ，３ｂの上端部と下端部との間は、ショーケース本体２の正面側に向けて膨出するように湾曲して形成されている。なお、一方の引戸３ａは、他方の引戸３ｂよりも上端部から下端部までの長さが僅かに長寸に形成されている。
【００２４】
図３（ａ）及び図４（ａ）に示すように、引戸３ａ，３ｂの上端部には、引戸３ａ，３ｂの左右幅方向の略全長に亘ってフレーム部材１８ａが取り付けられている。これらフレーム部材１８ａの上端部には、フレーム部材１８ａの左右幅方向に沿って複数（本実施例では２個）の係合部材１９が取り付けられている。
【００２５】
これら係合部材１９には、係合部材１９の左右幅方向の全長に亘って、前述した被係合部とともに規制手段を構成する本発明における係合部としての溝部１９ａが凹設されている。これら溝部１９ａの前後幅寸法は、突片１７ｃの前後幅寸法よりも長寸に形成されており、溝部１９ａ内に突片を挿通配置可能となっている。
【００２６】
一方、図３（ｂ）及び図４（ｂ）に示すように、引戸３ａ，３ｂの下端部には、引戸３ａ，３ｂの左右幅方向の略全長に亘ってフレーム部材１８ｂが取り付けられている。これらフレーム部材１８ａの下端部には、フレーム部材１８ｂの左右幅方向に沿って複数（本実施例では２輪）のローラ２０（戸車）が、ショーケース本体２の前後幅方向を向く図示しない枢軸によって回動可能に枢支されている。
【００２７】
このように構成された引戸３ａ，３ｂのショーケース本体２への取り付けは、上端部から下端部の長さが引戸３ａよりも僅かに短い引戸３ｂから行う。具体的には、図４（ａ）及び図４（ｂ）に示すように、引戸３ｂにフレーム部材１８ａを介して取り付けられた係合部材１９に形成された溝部１９ａ内に、上側レール１７の傾斜面１７ｂから突設されている突片１７ｃを挿入する。このとき、係合部材１９の背面１９ｂの一部が傾斜面１７ｂに対して当接する。
【００２８】
そして、突片１７ｃは、引戸３ｂが引戸３ｂ自体の荷重によって傾斜面１７ｂに沿って僅かに正面側に滑落することで、溝部１９ａ内の上面と当接し、突片１７ｃと溝部１９ａ内の下面との間に隙間部２１が形成される。つまり、突片１７ｃは、溝部１９ａに対して遊嵌される。また、引戸３ｂが傾斜面１７ｂに沿って僅かに滑落することにより突片１７ｃが溝部１９ａ内の上面と当接することで、引戸３ｂの正面側への移動が溝部１９ａ内の上面に当接している突片１７ｃによって規制される。
【００２９】
同時に、引戸３ｂにフレーム部材１８ｂを介して枢支されたローラ２０の下端部を平坦面１６ａに対して略垂直に当接させ、引戸３ｂのショーケース本体２への取り付けがなされる。これら突片１７ｃの溝部１９ａ内の上面との当接及びローラ２０の平坦面１６ａとの当接によって、引戸３ｂの荷重は、上側レール１７と平坦面１６ａとで支持される。
【００３０】
なお、引戸３ａのショーケース本体２への取り付けも引戸３ｂと同様に、引戸３ａにフレーム部材１８ａを介して取り付けられた係合部材１９に形成された溝部１９ａ内に、上側レール１７の傾斜面１７ａから突設されている突片１７ｃを挿入し、背面１９ｂの一部を傾斜面１７ａに対して当接させる。そして、引戸３ａが引戸３ａ自体の荷重によって傾斜面１７ａに沿って僅かに正面側に滑落することで、突片１７ｃと溝部１９ａ内の下面との間に隙間部２１を形成し、ローラ２０の下端部を平坦面１６ａに対して略垂直に当接させることで、引戸３ａ，３ｂのショーケース本体２への取り付けを完了する。
【００３１】
引戸３ａ，３ｂをショーケース本体２に取り付けることで、引戸３ａ，３ｂは、各突片１７ｃに上端部側を支持された状態で平坦面１６ａ上をローラ２０によってショーケース本体２の左右幅方向にスライド移動可能となる。
【００３２】
図１に示すように、引戸３ａ，３ｂのショーケース本体２への取り付けが完了した後は、引戸３ｂ，３ｂをショーケース本体２の左右幅方向の略中央部にスライド移動させるとともに、引戸３ａ，３ａをショーケース本体２の左右幅方向の右端部及び左端部にスライド移動させることで、開口部７を閉塞する。
【００３３】
このように引戸３ａ，３ｂによって閉塞された開口部７は、引戸３ａ，３ｂの少なくとも１枚をショーケース本体２の左右幅方向にスライド移動させることで部分的に開口することができる。買い物客は、この開口部７の開放された箇所から冷蔵室６内に手を挿し込み、冷蔵室６内に陳列されている販売物を手に取ることが可能である。
【００３４】
また、買い物客は、手荷物が多い場合や冷蔵室６内から販売物を大量に取り出す場合、平坦面１６ａ上に手荷物や販売物等の物品を一時的に載置することが可能となっている。つまり、平坦面１６ａは、本発明における載置面として機能しており、買い物客がショーケース１を利用する際の使い勝手を向上させている。
【００３５】
平坦面１６ａの清掃を行う場合には、引戸３ａ，３ｂをショーケース本体２の左右幅方向にスライド移動させた後、平坦面１６ａ上に付着している埃や汚れ等を、掃除機等を用いることで除去する。さらに、図５に示すように、平坦面１６ａ上にて引戸３ａ，３ｂが重なっている箇所においては、引戸３ａ，３ｂを上方に向けて持ち上げる。
【００３６】
このとき、前述したように、突片１７ｃと溝部１９ａ内の下面との間に隙間部２１が形成されているため、隙間部２１の前後幅寸法分、ローラ２０と平坦面１６ａとの間が離間されて隙間２２が形成される。このローラ２０と平坦面１６ａとの間の隙間２２に掃除機等を挿入したり、雑巾等を挿入したりすることにより平坦面１６ａの清掃が可能となっている。
【００３７】
引戸３ａ，３ｂの取り外し方について説明する。図４（ａ）に示すように、上側レール１７には、上方側の引戸３ａの係合部材１９が通過可能な切欠部２２が形成されている。図７に示すように、この切欠部２２は、上側レール１７の所定の２箇所に形成されている。そして、引戸３ａを取り外す際には、先ず、上方側の引戸３ａの各係合部材１９が上側レール１７の切欠部２２に対応する位置まで引戸３ａを移動させる。次に、図６に示すように、引戸３ａを手前側に持ち上げると、係合部材１９が突片１７ｃから外れるようになり、この係合部材１９が切欠部２２を通過することで、引戸３ａが上側レール１７から取り外せるようになっている。さらに、上方側の引戸３ａを取り外した状態であれば、下方側の引戸３ｂは、上側レール１７から容易に取り外せるようになっている。
【００３８】
以上、本実施例におけるショーケース１にあっては、引戸３ａ，３ｂの上端部は、開口部７の上端縁に設けられる上側レール１７に支持されるとともに、引戸３ａ，３ｂの下端部は、開口部７の下端縁に設けられて略平坦面に形成される平坦面１６ａに支持されており、引戸３ａ，３ｂの前方移動を規制する規制手段が上側レール１７に設けられることで、引戸３ａ，３ｂの下端部が摺接される下側支持部が略平坦面となっているため、この平坦面１６ａの清掃が行い易くなっており、平坦面１６ａを衛生的に保つことができるとともに、引戸３ａ，３ｂの前方移動動を規制する規制手段が、ショーケース本体２の開口部７の上端縁の上側レール１７に設けられるため、ゴミ等が規制手段に付着し難くなり、ゴミの付着による規制手段の磨耗を防止でき、かつゴミが付着し易い部位である平坦面１６ａには、規制手段を設けずに済むようになるばかりか、引戸３ａ，３ｂの下端部と平坦面１６ａとの接触面積を低減させることができ、長年の使用しても引戸３ａ，３ｂをスムーズに開閉させることができる。
【００３９】
また、平坦面１６ａは、物品を載置できる載置面となっていることで、平坦面１６ａに買い物客の手荷物や、ショーケース本体２内に収納されている販売物等の物品を載置できるようになり、ショーケース１の使い勝手を向上させることができる。
【００４０】
また、上側レール１７には、ショーケース本体２の前方側に向けて下方に傾斜する傾斜面１７ａ，１７ｂが形成されており、引戸３ａ，３ｂの上端部が傾斜面１７ａ，１７ｂに支持されるとともに、引戸３ａ，３ｂの下端部が平坦面１６ａに対して略垂直に当接支持されることで、引戸３ａ，３ｂの自重によって傾斜面１７ａ，１７ｂに引戸３ａ，３ｂの上端部を確実に当接させることができ、引戸３ａ，３ｂのがたつきを防止することができるとともに、引戸３ａ，３ｂの自重をかけながら引戸３ａ，３ｂの下端部を平坦面１６ａに当接支持させることができ、引戸３ａ，３ｂの開閉を安定的に行うことができる。
【００４１】
また、規制手段は、引戸３ａ，３ｂの上端部に設けられる溝部１９ａと、溝部１９ａと凹凸係合される上側レール１７に設けられる突片１７ｃと、から構成されることで、溝部１９ａと突片１７ｃとの凹凸係合という簡素な構成で規制手段を設けることができ、かつ引戸３ａ，３ｂの上側レール１７に対する着脱作業を容易に行うことができる。
【００４２】
また、溝部１９ａと突片１７ｃとは、互いに遊嵌される寸法に形成され、溝部１９ａと突片１７ｃとの間に隙間部２１が形成されることで、溝部１９ａと突片１７ｃとの間に形成される隙間部２１の寸法分だけ、引戸３ａ，３ｂの下端部を平坦面１６ａから離して持ち上げられるようになり、引戸３ａ，３ｂをスライド移動させずに平坦面１６ａを清掃することができる。
【００４３】
以上、本発明の実施例を図面により説明してきたが、具体的な構成はこれら実施例に限られるものではなく、本発明の要旨を逸脱しない範囲における変更や追加があっても本発明に含まれる。
【００４４】
例えば、前記実施例では、ショーケース１を、対向する正面側の双方に向けて開口する開口部７が形成されたショーケース本体２と、各開口部７を閉塞する複数枚の引戸３ａ，３ｂとから構成したが、ショーケース本体は、一方の正面側のみに開口部が形成されているものであってもよい。
【００４５】
また、前記実施例では、ショーケース１を、スーパーマーケット等の店舗において冷凍食品や生鮮食品等の販売物を店内に陳列するために使用したが、例えば、バイキング形式の飲食店にてアイスクリーム等の冷蔵・冷凍食品を収納し、飲食客が引戸３ａ，３ｂを開放することで自由に取皿等に冷蔵・冷凍食品を盛り付けることができるようにしてもよい。この場合には、飲食客が取皿等に冷蔵・冷凍食品を盛り付ける際に冷蔵・冷凍食品の取り零しがあっても、前述したように引戸３ａ，３ｂを僅かに持ち上げることでローラ２０と平坦面１６ａとの間に隙間２２を形成し、容易に平坦面１６ａの清掃が可能である。
【００４６】
また、前記実施例では、規制手段としての被係合部が突片１７ｃで形成されるとともに、係合部が溝部１９ａとして形成されているが、上側レール１７に溝部を形成して被係合部とするとともに、係合部材１９に突片を形成して係合部としてもよい。
【符号の説明】
【００４７】
１                ショーケース
２                ショーケース本体
３ａ，３ｂ        引戸
７                開口部
１６ａ            平坦面（下側支持部，載置面）
１７              上側レール
１７ａ，１７ｂ    傾斜面
１７ｃ            突片（規制手段，被係合部）
１９              係合部材
１９ａ            溝部（規制手段，係合部）
１９ｂ            背面
２１              隙間部
【図１】
0005833828.tif 000002
【図２】
0005833828.tif 000003
【図３】
0005833828.tif 000004
【図４】
0005833828.tif 000005
【図５】
0005833828.tif 000006
【図６】
0005833828.tif 000007
【図７】
0005833828.tif 000008